(57)【要約】【課題】特定の者は容易に開錠できる一方、第三者は外観的に何をするものかが分かりにくい上、開錠方法が分かりにくい屋外用キーボックスを提供すること。【解決手段】開口部１０を有するキー収容部１と、前記開口部１０を開閉自在に被蓋する蓋部２と、前記蓋部２を開又は閉状態に維持できる錠前Ｊとから成り、錠前Ｊは、キー収容部１内に取付又は固定された錠本体５と、キー収容部１外から前記錠本体５に挿入されて正逆回動できる錠杵部６とからなり、錠本体５と錠杵部６との始点位置のみが示され且つ一目盛りごとにクリック感があるダイヤルキーである。【選択図】図１
0003125516.tif 000002
【実用新案登録請求の範囲】
【請求項１】
開口部を有するキー収容部と、前記開口部を開閉自在に被蓋する蓋部と、前記蓋部を開又は閉状態に維持できる錠前とから成り、錠前は、キー収容部内に取付又は固定された錠本体と、キー収容部外から前記錠本体に挿入されて正逆回動できる錠杵部とからなり、錠本体と錠杵部との始点位置のみが示され且つ一目盛りごとにクリック感があるダイヤルキーであることを特徴とする屋外用キーボックス。
【請求項２】
錠本体に対して錠杵部を始点位置から適正に正逆回動させたときには、蓋部を開くことが可能となるべく錠本体から錠杵部を引き出せることを特徴とする請求項１記載の屋外用キーボックス。
【請求項３】
錠本体に対して錠杵部を始点置から適正に正逆回動させる態様は、正−逆−正、又は逆−正−逆であることを特徴とする請求項１又は２記載の屋外用キーボックス。
【考案の詳細な説明】
【技術分野】
【０００１】
この考案は、家等のドアキーやその他のキーを屋外に収容保管するための屋外用キーボックスに関するものである。
【背景技術】
【０００２】
キーを紛失したり又は会社等にキーを置き忘れて、家に入れなくなるようなことは、誰しも一度は経験していることである。このような事態の経験者は、前記事態を確実に回避できるようにするため、メールボックス、植木鉢の下、玄関マットの下等にキーを隠しておき、必要に応じてその場所のキーを使用するようにしていることがある。
【０００３】
しかしながら、上記の如き方法では、キーを屋外に隠し置くことからくる不安を常に抱えなければならないという問題がある。
【０００４】
そこで、近年、上記問題を解決するため、暗唱ダイヤルや暗唱ボタン（数字やアルファベットが刻印等されている）を有した屋外用キーボックスが市場に出回るようになってきている。この屋外用キーボックスによると、使用者は暗唱番号を覚えておき、ダイヤルやボタンを操作することにより蓋を開けてキーが取り出せるようになっている。
【０００５】
しかしながら、従来の屋外用キーボックスは、数字やアルファベット等が表示されているから、内部に何か重要なものが入っていることや番号を合わせれば内部のものを取り出せることが、空き巣狙い犯に対して丸判りであり、返って危険な事態を招く可能性がある。
【考案の開示】
【考案が解決しようとする課題】
【０００６】
そこで、この考案では、特定の者は容易に開錠できる一方、第三者は外観的に何をするものかが分かりにくい上、開錠方法が分かりにくい屋外用キーボックスを提供することを課題とする。
【課題を解決するための手段】
【０００７】
（請求項１記載の発明）
この考案の屋外用キーボックスは、開口部を有するキー収容部と、前記開口部を開閉自在に被蓋する蓋部と、前記蓋部を開又は閉状態に維持できる錠前とから成り、錠前は、キー収容部内に取付又は固定された錠本体と、キー収容部外から前記錠本体に挿入されて正逆回動できる錠杵部とからなり、錠本体と錠杵部との始点位置のみが示され且つ一目盛りごとにクリック感があるダイヤルキーである。
【０００８】
（請求項２記載の発明）
この考案の屋外用キーボックスは、上記請求項１記載の考案に関し、錠本体に対して錠杵部を原点位置から適正に正逆回動させたときには、蓋部を開くことが可能となるべく錠本体から錠杵部を引き出せるものとしている。
【０００９】
（請求項３記載の発明）
この考案の屋外用キーボックスは、上記請求項１又は２記載の考案に関し、錠本体に対して錠杵部を原点位置から適正に正逆回動させる態様は、正−逆−正、又は逆−正−逆である。
【考案の効果】
【００１０】
この考案の屋外用キーボックスによると、特定の者は容易に開錠できる一方、第三者は外観的に何をするものかが分かりにくい上、開錠方法が分かりにくい。
【考案を実施するための最良の形態】
【００１１】
以下にこの考案の屋外用キーボックスを実施するための最良の形態として実施例について詳しく説明する。
【実施例１】
【００１２】
図１はこの考案の実施例１における屋外用キーボックスＫＢの外観斜視図、図２は前記屋外用キーボックスＫＢが分解斜視図、図３は前記屋外用キーボックスＫＢの側断面図、図４はキー収容部１及び蓋部２と錠本体５及び錠杵部６との関係を示す部分断面図、図５は錠本体５及び錠杵部６の分解斜視図を示している。
【００１３】
（この屋外用キーボックスＫＢの基本的構成について）
この屋外用キーボックスＫＢは、図１や図２に示すように、直立姿勢で立てられた配管等のポールＰに取り付けられたものであり、開口部１０を有するキー収容部１と、開口部１０を被蓋する蓋部２と、前記キー収容部１に対して蓋部２を揺動する態様で取り付けるための縦軸３と、前記蓋部２の閉状態を維持するための錠前Ｊ（錠本体５と錠杵部６）とから構成されている。 
【００１４】
（この屋外用キーボックスＫＢのポールＰへの取り付けについて）
この屋外用キーボックスＫＢは、図２や図３に示すように、Ｕボルト７の円弧部をポールＰに倣わせた状態で当該Ｕボルト７の二本の雄ネジ７０部分をキー収容部１内に貫通突出させると共に、この二本の雄ネジ７０部分をキー収容部１内に配した固定部材４（実質的なキー収容棚４ａが形成されている）の貫通孔４０に挿通させ、更に前記貫通孔４０から突出する雄ネジ７０にナット４２を螺入するようにしてポールＰに強固に取り付けられている。
【００１５】
ここで、固定部材４のキー収容部１への取り付け位置は、図３に示すように、キー収容部１の後壁１８に形成された孔１９に固定部材４に設けた小突起４１を挿入する態様で位置決めしてある。
【００１６】
（キー収容部１と、蓋部２と、縦軸３等の具体的構成について）
キー収容部１は、図１や図２に示すように、前面開放の略直方体に形成された箱状のものであり、図２や図４に示す如く上記固定部材４と一体の錠本体５が対面する右側壁１４部分に円孔１１を形成してある。なお、前記円孔１１は図４に示すように、錠杵部６が挿入できる大きさ設定してある。
【００１７】
また、キー収容部１の後面壁には、図２や図４に示すように、パイプＰに倣わせるための凹部１２が形成されており、他方、キー収容部１の前面側左部の上下壁には、図１に示すように、縦軸３を挿通させるための軸孔１３を設けてある。
【００１８】
蓋部２は、図１や図４に示すように、キー収容部１の開口部１０及び右側面壁１４を覆う上面視Ｌ字状（前面壁２０と右側面壁２１）のものであり、前記右側面壁２１には上記円孔１１と対面する円孔２２を設けてある。
【００１９】
またこの蓋部２には、図２や図４に示すように、軸孔２０，２０を設けてある。
【００２０】
縦軸３は、図２や図３に示すように、頭付きの軸体であり、頭側を上にして軸孔１３，１３，２０，２０を挿通させた後に、固定座金３０で抜け止め状態にしてある。なお、この縦軸３には、図２や図３に示すようにキックバネ３１を外挿させてあり、これによりキー収容部１に対して蓋部２を開く方向に付勢してある。
【００２１】
（錠前Ｊを構成する錠本体５と錠杵部６について）
錠本体５は、図５〜図９に示すように、一端に施錠口５７’を有するケース５７と、前記ケース５７の最奥部に設けられるコイルバネ５６と、背面を平滑面に形成し正面側に突起５５’を配置して回転不能に嵌合するクイックリング５５と、背面にクリックリング５５の突起５５’と係合する１０個の凹溝５４’を放射状に形成した第３施錠リング５４（クリック音発生リング）と、第２施錠リング５３と、第１施錠リング５１と、背面に５条の凹部５０’を備え且つ施錠口５７’に最も近接した位置に嵌着されると共にケース５７内に回転不能に固定されて鍵孔を形成する番違いリング５０と、第３施錠リング５４と第２施錠リング５３との間、及び第３施錠リング５３と第１施錠リング５１との間に介設され且つ外周に回り止め突起５２’を備えているスペーサリング５２とから構成されている。
【００２２】
上記第１・２・３施錠リング５１，５３，５４は、図６〜図８に示すように、中心線上に鍵の挿通孔５９を貫通し、内周面面の円周方向に互いに角度位置を異にした１又は２の係合突起５１’を有するものである。
【００２３】
錠杵部６は、図５に示すように、摘まみ部６０と、当該摘まみ部６０から突出する棒状部６１からなり、前期棒状部６１には複数の錠突起６２を備えている。前記錠突起６２は、施錠口５７’内に挿入され、錠本体５内で各施錠リング５１，５３，５４と係合してロックされる。上記錠本体５の内端には図示しない蹴り出しバネが設けられており、この蹴り出しバネは施錠口５７’内に挿入される棒状部６１を常時施錠口側に付勢している。そして、施錠口５７’に一番近い錠突起６３を番違いリング５０の背面の凹部５０’に嵌合させて、錠杵部６の回転を阻止する一方で、各施錠リング５１，５３，５４がそれぞれ開錠位置に達したときには棒状部６１を錠本体5外に押し出すものとなっている。
【００２４】
この錠前Ｊは、上記のような構成であるから、以下のようにして施錠・開錠される。
【００２５】
番違いリング５０の鍵穴に挿入された棒状部６１は、前回の開錠操作時に各施錠リング５１，５３，５４が鍵の挿通孔５９をほぼ一直線錠に揃えた状態の中に錠突起６２を通過させた後、錠杵部６を一回転以上回転し、各施錠リング５１，５３，５４中の係合突起５１’の角度位置を変えることにより棒状部６１を鍵本体５内にロックして、この錠前Ｊは施錠状態に変わる。
【００２６】
上記状態から開錠操作をする場合、施錠状態にある錠杵部６を押込みつつ回し、開錠操作の始点位置に合わせる。次に、錠前Ｊに設定されている番手にしたがって、錠杵部６を正逆に所定の角度づつ回転すると、錠本体５内で各施錠リング５１，５３，５４の係合突起５１’がそれぞれ開錠位置に復帰すると同時に、制止から開放された蹴り出しバネの付勢力によって棒状部６１は施錠口５７’の外に自動的に押し出される。
【００２７】
なお、各施錠リング５１，５３，５４の回転角度は、コイルバネ５６により付勢されつつ回転する第３施錠リング（クリック音発生リング）５４がクリックリング５５の突起５５’と接近・離反する場合に発生するクリック音（振動）と手応えを感知することにより所定の角度位置が判る。
【００２８】
（この屋外用キーボックスＫＢの開閉操作について） 
上記した操作により錠前Ｊは開錠・施錠操作できるが、前記開錠操作を行うと錠主体５から錠杵部６を抜き取れるので、キー収容部１から蓋部２を開くことができる。
【００２９】
ここで、この屋外用キーボックスＫＢでは、開錠操作を知っている特定の者は、図１に示すように錠杵部６の始点ｍ２を開錠操作の始点位置ｍ１に合わせ、その後はクリック音等の手応えにより錠前Ｊに設定されている番手（錠杵部６を正−逆−正、又は逆−正−逆）の順に回転させると、容易に開錠でき、蓋部２を開くことができる。
【００３０】
これに対して、第三者は数字等が打たれていないので、錠杵部６がダイヤル錠の摘まみであることさえ気付かず、何をするためのものであるかさえも気づきにくい。また、たとえ気が付いたとしても開錠方法がわかりにくい。
【実施例２】
【００３１】
図１０は実施例２の屋外用キーボックスＫＢの外観斜視図、図１１は前記屋外用キーボックスＫＢの蓋部２が開いた状態を示す外観斜視図、図１２は前記屋外用キーボックスＫＢの内部の構造を示す説明図を示している。
【００３２】
この実施例２の屋外用キーボックスＫＢは、図１０〜図１２に示すように、上記実施例１の屋外用キーボックスＫＢと基本的には同じ機能を奏するものであるが、錠本体５から錠杵部６を完全に抜き取らなくても蓋部２を開くことができる点で相違している。
【００３３】
この屋外用キーボックスＫＢでは、図１０〜図１２に示すように、錠前Ｊはキー収容部１のみを貫通するものとし、錠杵部６の摘まみ部６０を一定量引き出すことにより、蓋部２に設けたレバーＬに対して錠杵部６の先端部６９を係合状態（図１２の実線）から非係合状態（図１２の二点鎖線）にできるようにしてある。
【００３４】
したがって、この屋外用キーボックスＫＢにおいても、特定の者は容易に開錠できる一方、第三者は外観的に何をするものかが分かりにくい上、開錠方法が分かりにくい、という作用・効果を奏する。
【図面の簡単な説明】
【００３５】
【図１】この考案の実施例１における屋外用キーボックスの外観斜視図。
【図２】前記屋外用キーボックスＫＢが分解斜視図。
【図３】前記屋外用キーボックスＫＢの側断面図。
【図４】キー収容部及び蓋部と錠本体及び錠杵部との関係を示す部分断面図。
【図５】前記錠本体及び錠杵部の分解斜視図
【図６】第１施錠リングの背面（ａ）、縦断面（ｂ）、正面（ｃ）を示す図。
【図７】第２施錠リングの背面（ａ）、縦断面（ｂ）、正面（ｃ）を示す図。
【図８】第３施錠リングの背面（ａ）、縦断面（ｂ）、正面（ｃ）を示す図。
【図９】番違いリングの背面（ａ）、縦断面（ｂ）、正面（ｃ）を示す図。
【図１０】実施例２の屋外用キーボックスの外観斜視図。
【図１１】実施例２の屋外用キーボックスの蓋部が開いた状態を示す外観斜視図。
【図１２】実施例２の屋外用キーボックスＫＢの内部の構造の図。
【符号の説明】
【００３６】
ＫＢ    屋外用キーボックス
Ｐ      ポール
Ｊ      錠前
１      キー収容部
１０    開口部
２      蓋部
５      錠本体
６      錠杵部
【図１】
0003125516.tif 000003
【図２】
0003125516.tif 000004
【図３】
0003125516.tif 000005
【図４】
0003125516.tif 000006
【図５】
0003125516.tif 000007
【図６】
0003125516.tif 000008
【図７】
0003125516.tif 000009
【図８】
0003125516.tif 000010
【図９】
0003125516.tif 000011
【図１０】
0003125516.tif 000012
【図１１】
0003125516.tif 000013
【図１２】
0003125516.tif 000014